(57)【特許請求の範囲】
【請求項１】
テレビ信号が入力される入力コネクタと、該入力コネクタに対し略直角方向に配置され、入力されたテレビ信号をテレビ側に出力する出力コネクタとが突出するように形成されている端子本体と、
前記出力コネクタの円筒状の外部導体が挿通される挿通孔が底面板に形成された端子取付枠とを備え、
前記出力コネクタの前記外部導体の外周面の中途から立設されると共に、前記端子本体の一面に対面するよう少なくとも１つの羽部が形成され、前記端子取付枠には、前記羽部が挿通可能な切欠部が、前記挿通孔に連接して形成されており、前記挿通孔に前記外部導体を挿通すると共に、前記切欠部に前記羽部を挿通して前記端子本体を回動させた際に、前記羽部と前記端子本体の一面との間に前記底面板が挟持され、
前記端子取付枠の表面および裏面において、前記挿通孔の周縁であって互いに重ならない位置にそれぞれ突出リブが設けられており、前記端子本体を回動させた際に、前記羽部が前記表面に設けられた前記突出リブ上を摺動すると共に、前記裏面に設けられた前記突出リブが前記端子本体の一面に圧接されることを特徴とするアンテナ端子装置。
【請求項２】
さらに、前記出力コネクタの前記外部導体が挿通される第２の挿通孔が形成されていると共に、前記切欠部に嵌入される第１の回動角度制限突起が形成されている羽固定枠を備え、
前記端子取付枠の表面から突出するよう前記切欠部に隣接して第２の回動角度制限突起が形成されており、
前記第２の挿通孔に前記出力コネクタの前記外部導体を挿通した前記羽固定枠を、前記端子取付枠の表面に装着して前記切欠部に前記第１の回動角度制限突起を嵌入した際に、前記端子本体の回動角度が前記第１の回動角度制限突起と前記第２の回動角度制限突起との間の角度で制限されることを特徴とする請求項１に記載のアンテナ端子装置。
【請求項３】
前記端子取付枠の表面から突出するよう前記切欠部の一側に隣接して回動角度制限突起が形成されていると共に、前記切欠部の他側に隣接して弾性回動角度制限突起が形成されており、
前記挿通孔に前記外部導体を挿通すると共に、前記切欠部に前記羽部を挿通して前記端子本体を回動させた際に、前記羽部が前記弾性回動角度制限突起を乗り越えて、前記端子本体の回動角度が前記回動角度制限突起と前記弾性回動角度制限突起との間の角度で制限されることを特徴とする請求項１に記載のアンテナ端子装置。
【請求項４】
テレビ信号が入力される入力コネクタと、該入力コネクタに対し略直角方向に配置され、入力されたテレビ信号をテレビ側に出力する出力コネクタとが突出するように形成されている端子本体と、
前記出力コネクタの円筒状の外部導体が挿通される挿通孔が底面板に形成され、前記出力コネクタを内部に位置させて保護する円筒状の出力コネクタ保護壁を備えた端子取付枠とを備え、
前記出力コネクタの前記外部導体の外周面の中途から立設されると共に、前記端子本体の一面に対面するよう少なくとも１つの羽部が形成され、前記端子取付枠の前記底面板には、前記羽部が挿通可能な切欠部が、前記挿通孔に連接して形成され、さらに、前記端子取付枠の前記底面板の表面から突出するよう前記切欠部の一側に隣接して回動角度制限突起が形成されていると共に、前記切欠部の他側に隣接して弾性回動角度制限突起が形成されており、
前記挿通孔に前記外部導体を挿通すると共に、前記切欠部に前記羽部を挿通して前記端子本体を回動させた際に、前記羽部が前記弾性回動角度制限突起を乗り越えて、前記端子本体の回動角度が前記回動角度制限突起と前記弾性回動角度制限突起との間の角度で制限されると共に、前記羽部と前記端子本体の一面との間に前記底面板が挟持され、
前記端子取付枠の前記底面板の表面および裏面において、前記挿通孔の周縁であって互いに重ならない位置にそれぞれ突出リブが設けられており、前記端子本体を回動させた際に、前記羽部が前記表面に設けられた前記突出リブ上を摺動すると共に、前記裏面に設けられた前記突出リブが前記端子本体の一面に圧接されることを特徴とするアンテナ端子装置。
【発明の詳細な説明】
【技術分野】
【０００１】
本発明は、テレビ信号が入力される入力コネクタと、入力コネクタに対し略直角方向に配置され、入力されたテレビ信号をテレビ側に出力する出力コネクタからなる端子本体であって、該出力コネクタの側面の一部に羽部を設けられたスイッチボックスに取り付けられるアンテナ端子装置に関するものである。
【背景技術】
【０００２】
従来、テレビ信号をアンテナからテレビに供給するための端子を室内の壁面に設ける場合、配線用の埋め込み型スイッチボックスが使用されており、壁内部に埋め込まれたスイッチボックスにアンテナ側から送られてくる信号を入力するための入力コネクタと該信号をテレビ側に出力するための出力コネクタとを備える端子本体が端子取付枠を介して取り付けられている。
【０００３】
これらの端子本体及び端子取付枠の構造としては、特許文献１、２に記載されるような構造が知られている。特許文献１には、円筒状の外部導体と絶縁体と中心導体からなるテレビ信号が入力される入力コネクタと、円筒状の外部導体と絶縁体と中心導体からなり、入力されたテレビ信号をテレビ側に出力するとともに該入力コネクタに対して略垂直方向に配置された出力コネクタと、これらの両コネクタを接続固定する端子本体と、該端子本体を取り付ける端子取付枠とを備えたアンテナ端子装置が開示され、該アンテナ端子装置は端子本体が端子取付枠に対して回動可能に固着されている。しかし、該アンテナ端子装置は端子本体を端子取付枠に取り付ける際にナットやＯ−リングを必要とし、組み立ての労力の増加やＯ−リングの経時劣化という課題が存在した。
【０００４】
特許文献２には、アンテナからのテレビ信号を入力する入力コネクタと当該テレビ信号をテレビ側に出力する出力コネクタと、これらのコネクタを保持する端子取付枠とからなるアンテナ端子装置が開示され、コネクタが端子取付枠に対して回動可能に固着されている。しかしながら、該アンテナ端子装置はコネクタを取り付ける際に２つの部品からなるホルダーを嵌合させてコネクタを回動可能に係止する構造であり、またアンテナ端子装置を固定するために弾性部材を必要とするため、組み立ての労力の増加や弾性部材を必要とするという課題が存在した。
【先行技術文献】
【特許文献】
【０００５】
【特許文献１】特許第４３６２３８５号公報
【特許文献２】実登３０３９９５０号公報
【発明の概要】
【発明が解決しようとする課題】
【０００６】
上記の特許文献１−２に記載のアンテナ端子装置は装置を組み立てる際にＯ−リングなどの弾性部材を必要とするという課題が存在した。
【０００７】
そこで、本発明は上記の課題を解決することを目的とするものであり、アンテナ端子装置をＯ−リングなどの弾性部材を用いることなく配設可能とし、端子本体を回動可能することができるアンテナ端子装置を提供することを目的としている。
【課題を解決するための手段】
【０００８】
上記目的を達成するため本発明のアンテナ端子装置は、テレビ信号が入力される入力コネクタと、該入力コネクタに対し略直角方向に配置され、入力されたテレビ信号をテレビ側に出力する出力コネクタとが突出するように形成されている端子本体と、前記出力コネクタの円筒状の外部導体が挿通される挿通孔が底面板に形成された端子取付枠とを備え、前記出力コネクタの前記外部導体の外周面の中途から立設されると共に、前記端子本体の一面に対面するよう少なくとも１つの羽部が形成され、前記端子取付枠には、前記羽部が挿通可能な切欠部が、前記挿通孔に連接して形成されており、前記挿通孔に前記外部導体を挿通すると共に、前記切欠部に前記羽部を挿通して前記端子本体を回動させた際に、前記羽部と前記端子本体の一面との間に前記底面板が挟持されることを特徴とする。
【０００９】
また、本発明のアンテナ端子装置は、前記端子取付枠の表面および裏面において、前記挿通孔の周縁であって互いに重ならない位置にそれぞれ突出リブが設けられており、前記端子本体を回動させた際に、前記羽部が前記表面に設けられた前記突出リブ状を摺動すると共に、前記裏面に設けられた前記突出リブが前記端子本体の一面に圧接される構成としてもよい。
【００１０】
さらに、本発明のアンテナ端子装置は、前記出力コネクタの前記外部導体が挿通される第２の挿通孔が形成されていると共に、前記切欠部に嵌入される第１の回動角度制限突起が形成されている羽固定枠を備え、前記端子取付枠の表面から突出するよう前記切欠部に隣接して第２の回動角度制限突起が形成されており、前記第２の挿通孔に前記出力コネクタの前記外部導体を挿通した前記羽固定枠を、前記端子取付枠の表面に装着して前記切欠部に前記第１の回動角度制限突起を嵌入した際に、前記端子本体の回動角度が前記第１の回動角度制限突起と前記第２の回動角度制限突起との間の角度で制限される構成としてもよい。
【００１１】
加えて、本発明のアンテナ端子装置は、前記端子取付枠の裏面から突出するよう前記切欠部の一側に隣接して回動角度制限突起が形成されていると共に、前記切欠部の他側に隣接して弾性回動角度制限突起が形成されており、前記挿通孔に前記外部導体を挿通すると共に、前記切欠部に前記羽部を挿通して前記端子本体を回動させた際に、前記羽部が前記弾性回動角度制限突起を乗り越えて、前記端子本体の回動角度が前記回動角度制限突起と前記弾性回動角度制限突起との間の角度で制限される構成としてもよい。
【００１２】
更には、本発明のアンテナ端子装置は、テレビ信号が入力される入力コネクタと、該入力コネクタに対し略直角方向に配置され、入力されたテレビ信号をテレビ側に出力する出力コネクタとが突出するように形成されている端子本体と、前記出力コネクタの円筒状の外部導体が挿通される挿通孔が底面板に形成され、前記出力コネクタを内部に位置させて保護する円筒状の出力コネクタ保護壁を備えた端子取付枠とを備え、前記出力コネクタの前記外部導体の外周面の中途から立設されると共に、前記端子本体の一面に対面するよう少なくとも１つの羽部が形成され、前記端子取付枠の前記底面板には、前記羽部が挿通可能な切欠部が、前記挿通孔に連接して形成され、さらに、前記端子取付枠の前記底面板の表面から突出するよう前記切欠部の一側に隣接して回動角度制限突起が形成されていると共に、前記切欠部の他側に隣接して弾性回動角度制限突起が形成されており、前記挿通孔に前記外部導体を挿通すると共に、前記切欠部に前記羽部を挿通して前記端子本体を回動させた際に、前記羽部が前記弾性回動角度制限突起を乗り越えて、前記端子本体の回動角度が前記回動角度制限突起と前記弾性回動角度制限突起との間の角度で制限されると共に、前記羽部と前記端子本体の一面との間に前記底面板が挟持されることを特徴とするアンテナ端子装置とすることもできる。
【００１３】
また、前記アンテナ端子装置において、前記端子取付枠の前記底面板の表面および裏面において、前記挿通孔の周縁であって互いに重ならない位置にそれぞれ突出リブが設けられており、前記端子本体を回動させた際に、前記羽部が前記表面に設けられた前記突出リブ上を摺動すると共に、前記裏面に設けられた前記突出リブが前記端子本体の一面に圧接されることを特徴とする請求項５に記載のアンテナ端子装置とすることもできる。
【発明の効果】
【００１４】
本発明のアンテナ端子装置は、端子本体に設けられた羽部を切欠部を有する端子固定枠に挿通した後、端子本体を出力コネクタ軸上で回動させることにより端子本体と端子固定枠をナットのような固定部品を用いることなく固定することができ、アンテナ端子装置の部品数を減少させることができる。
【図面の簡単な説明】
【００１５】
【図１】図１は本発明に係るアンテナ端子装置の実施例１の構成を示す正面図、側面図、下面図、前面からの斜視図、背面からの斜視図である。
【図２】図２は本発明に係るアンテナ端子装置の実施例１の構成を示す前面からの分解斜視図および後面からの分解斜視図である。
【図３】図３は本発明に係るアンテナ端子装置の実施例１の他の構成を示す正面図、背面図、下面図、前面からの斜視図、背面からの斜視図である。
【図４】図４は本発明に係るアンテナ端子装置の実施例１のアンテナ端子装置の構成を示す正面図、Ａ−Ａ断面で示す上面図である。
【図５】図５は本発明の実施例１のアンテナ端子装置における端子本体の構成を示す側面図、一部を拡大して示す図、正面図である。
【図６】図６は本発明の実施例１のアンテナ端子装置における端子取付枠の構成を示す正面図、背面図、Ｂ−Ｂ断面で示す上面図、側面図、Ｃ−Ｃ断面で示す側面図である。
【図７】図７は本発明の実施例１のアンテナ端子装置における羽固定枠の構成を示す正面図、背面図、下面図、側面図である。
【図８】図８は本発明の実施例１のアンテナ端子装置における化粧端子台の構成を示す正面図、側面図、背面図である。
【図９】図９は本発明に係るアンテナ端子装置の実施例２の構成を示す前面からの分解斜視図および後面からの分解斜視図である。
【図１０】図１０は本発明の実施例２のアンテナ端子装置における端子取付枠の構成を示す正面図、背面図、Ｄ−Ｄ断面で示す下面図、側面図、Ｅ−Ｅ断面で示す側面図である。
【図１１】図１１は本発明に係るアンテナ端子装置の実施例２の化粧端子台を省略した構成を示す正面図、Ｆ−Ｆ断面で示す上面図である。
【図１２】図１２は本発明に係るアンテナ端子装置の実施例２の化粧端子台を省略した他の構成を示す正面図、Ｇ−Ｇ断面で示す上面図である。
【図１３】図１３は本発明に係るアンテナ端子装置の実施例３の構成を示す正面図、側面図、下面図である。
【図１４】図１４は本発明の実施例３のアンテナ端子装置における端子取付枠の構成を示す正面図、背面図、Ｈ−Ｈ断面で示す上面図、側面図、Ｉ−Ｉ断面で示す側面図である。
【図１５】図１５は本発明に係るアンテナ端子装置の実施例３のアンテナ端子装置の正面図、Ｊ−Ｊ断面で示す上面図である。
【図１６】図１６は本発明に係るアンテナ端子装置の実施例３のアンテナ端子装置の構成を示す正面図、Ｋ−Ｋ断面で示す上面図である。
【発明を実施するための形態】
【００１６】
実施例１
以下に、本発明の実施例１に係るアンテナ端子装置の構成を図１乃至図８に基づいて説明する。本発明の実施例１に係るアンテナ端子装置は、図１及び図２に示すように入力コネクタ１１と出力コネクタ１２とを備える端子本体１と、該端子本体１が制限された角度内において回動可能に支持される端子取付枠２と、該端子取付枠２に取り付けられ上記端子本体１の回動可能な角度を制限する羽固定枠３と、上記端子取付枠２から突出する出力コネクタ１２の周囲を覆うように上記端子取付枠２に取り付けられる化粧端子台４とから構成される。
【００１７】
端子本体１の詳細構成を図５（ａ）（ｂ）（ｃ）に示す。これらの図に示すように、端子本体１は、ほぼ直方体状の内部に収納空間を有する金属性のダイカストケース１４と、ダイカストケース１４の下面の後部から下方へ突出するよう設けられたテレビ信号が入力される同軸コネクタである円筒状の入力コネクタ１１と、ダイカストケース１４の前面から入力コネクタ１１に対して略直角方向に突出するよう設けられた入力されたテレビ信号をテレビ側に出力する同軸コネクタである円筒状の出力コネクタ１２とから構成されている。
【００１８】
ダイカスト成形により箱形に形成された金属製（例えば、亜鉛合金製）のダイカストケース１４は、ほぼ直方体状とされ、その一側面に開口部が形成されている。このダイカストケース１４の開口部には金属製（例えば、アルミニウム合金製）のカバーが嵌着される。ダイカストケース１４の下面からは入力コネクタ１１の外部導体が一体的に突出するよう形成され、前面からは出力コネクタ１２の外部導体が一体的に突出するよう形成されており、端子本体１は略Ｌ字状とされている。
【００１９】
また、該ダイカストケース１４の収納空間には、その厚み方向の中心部で、かつ後述する入力コネクタ１１の端子部および出力コネクタ１２の端子部が突出する位置に、略Ｌ字状に形成されたプリント基板が配設されている。このプリント基板の幅方向の略中心部には銅箔からなる配線パターンが形成されている。そして、配線パターンの中途には直流カット用のカップリングコンデンサが接続されている。そして、配線パターンの一端に入力コネクタ１１の端子部が半田付けにより接続され、配線パターンの他端に出力コネクタの端子部が半田付けにより接続されている。これにより、入力コネクタ１１と出力コネクタ１２との間はほぼインピーダンス整合された伝送線路により接続されるようになる。なお、入力コネクタ１１の端子部と配線パターンの一端との接続、出力コネクタ１２の端子部と配線パターンの他端との接続は、半田付けに代えてバネコンタクトにより接続するようにしてもよい。
【００２０】
入力コネクタ１１および出力コネクタ１２は円筒状の金属製の外部導体と、この外部導体内に同軸に中心導体を配置する絶縁筒体および中心導体とからなる。入力コネクタの外部導体は例えば亜鉛合金製などの金属製であり、その接続側先端部の外周面の一部に同軸プラグを螺着することができるねじ部が形成されている。該入力コネクタ１１および出力コネクタ１２の中心導体は真鍮やリン青銅などの金属板を折り曲げ加工して金メッキを施すことにより作製されており、この中心導体は樹脂製の絶縁筒体内に挿入されて、円筒状の外部導体の略中心に同軸となるように絶縁筒体が圧入されている。中心導体の端子部はダイカストケース１４の収納空間内に突出し、収納空間に配設されているプリント基板に形成された配線パターンの端部に電気的に接続される。なお、入力コネクタ１１および出力コネクタ１２の外部導体はダイカストケース１４の下面および前面に一体的に形成されている。
【００２１】
図５（ｂ）に羽部１３の構成を拡大して示しており、この図に示すように羽部１３は略矩形状とされ、出力コネクタ１２の先端に設けられたねじ部よりダイカストケース１４側であってダイカストケース１４の前面から所定間隔おいた外部導体の外周面の両側にそれぞれ立設されて形成されている。一対の羽部１３はダイカストケース１４の前面と対面するように設けられる。出力コネクタ１２を後述する端子取付枠２の出力コネクタ挿通孔２１に挿通し、羽部１３を切欠部２２に挿通した後において、端子本体１を出力コネクタ１２の略中心軸を回転軸として回動させる。すると、端子取付枠２の出力コネクタ挿通孔２１の周囲の底面板が、羽部１３とダイカストケース１４の前面との間に挟持されて、端子本体１を端子取付枠２に回動可能に取り付けることができる。
【００２２】
羽部１３の形状としては図５（ｂ）に示すようにほぼ矩形状とされているが、後述する端子取付枠２の切欠部２２から挿通することができ、出力コネクタ１２と羽部１３を端子取付枠２に挿通後、端子本体１を出力コネクタ軸上で回動させることで端子取付枠２の底面板を狭持し端子本体１と端子取付枠２を脱落することなく係合しうる形状であれば特に制限されるものではない。ここで、羽部１３の形状としては例えば所定の厚みを有する矩形状、台形状、三角形状、扇状、円柱状などが選択される。また、羽部１３の枚数としては羽部１３からダイカストケース１４までの距離、端子取付枠２の底面板の厚み、羽部１３の摺動面の面積や厚さなどを勘案し、端子本体１を端子取付枠２に係合した際に脱落することなく係止できる枚数であればよく、１枚以上、端子本体１と端子取付枠２の係合を強固なものとすると共に回動可能な角度を確保する観点から２枚であることが好ましい。また、羽部１３は部品数を削減することを目的として出力コネクタ１２と一体に成型すること、取付時の利便性を考慮し羽部１３の摺動面を曲面とすることが好ましい。
【００２３】
端子取付枠２は、図６に示すように矩形状の底面板と、底面板の四辺に形成された側板からなり、前面が開口された箱状とされている。底面板には、円形の出力コネクタ挿通孔２１がほぼ中央に、出力コネクタ挿通孔２１の外周縁に連接して対向するよう扇形の一対の切欠部２２が形成されている。また、一対の切欠部２２の間であって、出力コネクタ挿通孔２１の外周縁の外側に沿って対向するよう裏面から突出して円弧状の一対の突出リブ２３ａが形成され、一対の切欠部２２の間であって、この一対の突出リブ２３ａより外側であって出力コネクタ挿通孔２１の外周縁に沿うよう表面から突出して円弧状の一対の突出リブ２３ｂが対向するよう形成されている。さらに、切欠部２２に隣接する出力コネクタ挿通孔２１の外周縁の外側に沿って対向するよう表面から扇形に突出して設けられた一対の回動角度制限突起Ａ２４が形成されていると共に、突出リブ２３ａ，２３ｂの外側であって後述する羽固定枠３と係合するための矩形状の穴とされた一対のツメ受部Ａ２５が形成されている。また、端子取付枠２は、後述する化粧端子台４と係合するための左右の側板から後方へコ字状に突出して形成されたツメ受部Ｂ２６と、左右の側板から両側に突出して形成されている壁面取付部２７を有している。この端子取付枠２の材質としては絶縁性の素材であればよく、例えば合成樹脂などが用いられる。
【００２４】
出力コネクタ挿通孔２１は、図６に示すように端子取付枠２の底面板の略中央部に設けられる端子本体１の出力コネクタ１２を挿通させるための挿通孔であり、該出力コネクタ挿通孔２１に連接して切欠部２２が設けられている。出力コネクタ挿通孔２１の内径は、出力コネクタ１２の外径より若干大きく形成されている。
【００２５】
切欠部２２は、出力コネクタ挿通孔２１に連接して設けられ、出力コネクタ１２に設けられた羽部１３を端子取付枠２に挿通させるための構造である。切欠部２２の形状は羽部１３を挿通させることができる形状であればどのような形状であってもよく、好ましくは羽部１３を容易に挿通できる扇形の形状である。また、切欠部２２の数も羽部１３の数に合わせて選択され、羽部１３の数は一つ以上であればよく、二つ以上設けられることが好ましい。そして、端子本体１の出力コネクタ１２を出力コネクタ挿通孔２１に挿通していき、羽部１３を扇形の一対の切欠部２２に挿通して、端子本体１を回転させることで、端子本体１を端子取付枠２に回動可能に挿通固定することができる。
【００２６】
該出力コネクタ挿通孔２１の周縁であって底面板の裏面には突出リブ２３ａが設けられ、底面板の表面には突出リブ２３ｂが設けられている。端子取付枠２に回動可能に挿通固定された端子本体１を回動する際に、突出リブ２３ａの突出面が端子本体１の前面に圧接され、突出リブ２３ｂの突出面が前記羽部１３の後面に圧接されることで、端子取付枠２に取り付け後の端子本体１を出力コネクタ１２の軸上で回動する際に摩擦抵抗が生じながら回動するようになる。この際に、突出リブ２３ａ，２３ｂが端子取付枠２の底面板の表面及び裏面に設置位置をずらして重ならないように設けられているため、端子本体１の前面に当接した突出リブ２３ａに対して突出リブ２３ｂは突出リブ２３ａの高さ分だけ浮いた状態となり、突出リブ２３ｂ上に羽部１３が当接した際に端子取付枠２の底面板がたわみ、適度な摩擦抵抗を羽部１３と突出リブ２３との間に生じさせることができると共に組み立て時にかかる力を低減できる（図４参照）。そのため、本発明のアンテナ端子装置はＯ−リングを用いることなく回動する際に適度な摩擦抵抗を得ることができる。ここで突出リブ２３ｂを羽部１３と摺動させる構造であれば突出リブ２３の形状は制限されるものではなく、例えば出力コネクタ挿通孔２１の根元の周縁に円弧状、直線状、半球状などの形状の凸部からなる突出リブ２３としても良い。また、突出リブ２３ａ，２３ｂは図６に示すように端子取付枠２の底面板の表面及び裏面に設けているが、さらに端子取付枠２の表面及び裏面に突出リブ２３ａ，２３ｂのそれぞれを二重、三重に重ならないように設置位置をずらして設けるようにしてもよい。
【００２７】
回動角度制限突起Ａ２４は、図２及び図６に示すように端子取付枠２の裏面から突出するように設けられる突起であり、該突起の側面に羽部１３が当接することで出力コネクタ１２軸上での壁面端子１の回動を制限する機能を奏するものである。ここで、回動角度制限突起Ａの形状は特に扇形に制限されるものではなく、羽部１３の回動を制限できる断面が矩形、三角形、多角形、円、楕円などの形状とすることができる。
【００２８】
羽固定枠３と係合するためのツメ受部Ａ２５とは、後述する羽固定枠３に設けられたツメＡ３３と端子固定枠２を係合させるための構造である。羽固定枠３には、先端に爪部が形成された一対のツメＡ３３がそれぞれ形成されている。ツメＡ３３の先端には、外面に形成された一段高くなる段差部と、この段差部から先端に行くほど尖る斜面とされたテーパ部とにより爪部が形成されている。ツメ受部Ａ２５は矩形状の穴とされ、この穴に挿入されたツメＡ３３の先端の爪部における段差部が、ツメ受部Ａ２５の穴の出口の周縁に係合される。これにより、羽固定枠３が端子取付枠２内に固着されるようになる。
【００２９】
化粧端子台４と係合するためのツメ受部Ｂ２６とは、後述する化粧端子台４に設けられたツメＢ４２と端子固定枠２を係合させるための構造である。化粧端子台４の両側には、先端に爪部が形成された一対のツメＢ４２がそれぞれ形成されている。ツメＢ４２の先端には、外面に形成された一段高くなる段差部と、この段差部から先端に行くほど尖る斜面とされたテーパ部とにより爪部が形成されている。ツメ受部Ｂ２６はコ字状の形状とされ、内部の矩形状の縦長の係合孔に、ツメＢ４２の爪部の段差部が係合される。ツメ受部Ｂ２６及びツメＢ４２の構造としては、端子取付枠２と化粧端子台４を一体に係止可能な構造であればよい。
【００３０】
壁面取付部２７は、図６に示すように端子固定枠の左右の側板から両側に突出して形成される構造であり、壁面に設けられた埋め込み型スイッチボックスが備えるアンテナ端子装置１００を固定する取付枠に、壁面取付部２７の先端の突起を係合させることでアンテナ端子装置１００を埋め込み型スイッチボックスに設置する構造である。
【００３１】
羽固定枠３は、図７に示すように上下が切り取られた円板からなる平板部と、平板部の左右の側面から後方へ突出するよう形成された一対の側板を有する構造である。羽固定枠３の平板部のほぼ中央には、円形の出力コネクタ挿通孔３１が形成され、平板部の後面には扇形の一対の回動角度制限突起Ｂ３２が形成されている。また、羽固定枠３の側板には先端に爪部が形成された一対のツメＡ３３が形成されている。ツメＡ３３の先端には、外面に形成された一段高くなる段差部と、段差部から先端に行くほど尖る斜面とされたテーパ部とにより爪部が形成されている。羽固定枠３は端子取付枠２の後面から端子取付枠２内に嵌入可能な大きさとされており、その材質としては絶縁性の素材であればよく、例えば合成樹脂などが用いられる。
【００３２】
円形の出力コネクタ挿通孔３１は、端子本体１の出力コネクタ１２を挿通させるための挿通孔であり、図７に示すように羽固定枠３の前面板の略中央部に設けられている。出力コネクタ挿通孔３１の内径は、出力コネクタ１２の外径より若干大きく形成されている。
【００３３】
回動角度制限突起Ｂ３２は羽固定枠３の後面から突出して設けられた突起であり、該回動角度制限突起Ｂ３２が出力コネクタ１２軸上での羽部１３の回動を制限することにより端子本体１の回動角度を制限する機能を奏するものである。端子固定枠２のツメ受部Ａ２５に、羽固定枠３のツメＡ３３を係合すると、端子本体１は前記回動角度制限突起Ａ２４と回動角度制限突起Ｂ３２の間の角度範囲でのみ回動可能となる。また、回動角度制限突起Ｂ３２の形状は扇形に特に制限されるものではないが、端子取付枠２に設けられた切欠部２２と嵌合する形状とすることで、端子本体１の回動角度を制限できると共に、切欠部２２を羽部１３が通過することを阻止できることから、該端子本体１の脱落を防止することができる。回動角度制限突起Ｂ３２の構造としては、例えば所定の厚みを有する扇状、角柱状、円柱状などであってもよい。
【００３４】
ツメＡ３３は、端子取付枠２に設けられた矩形状の穴とされるツメ受部Ａ２５と係合することで、羽固定枠３を端子取付枠２内に固定一体化する構造である。
【００３５】
化粧端子台４は、図８に示すように矩形状の前面板と、前面板の四辺に形成された側板からなる箱状構造とされている。前面板はほぼ中央部に設けられた円筒状の出力コネクタ保護壁４１を備え、左右の側板には先端に爪部が形成された一対のツメＢ４２が形成されている。ツメＢ４２の先端には、外面に形成された一段高くなる段差部と、段差部から先端に行くほど尖る斜面とされたテーパ部とにより爪部が形成されている。化粧端子台４の材質としては絶縁性の素材であればよく、例えば合成樹脂などが用いられる。
【００３６】
出力コネクタ保護壁４１は、図８に示すように化粧端子台４前面板の略中央部に設けられ、その底面に端子本体１の出力コネクタ１２を挿通させるための断面円形の挿通孔が形成されている。出力コネクタ保護壁４１は、その円筒状の内部に出力コネクタ１２を位置させて保護することができ、出力コネクタ１２に同軸プラグを装着した時の外径より一回り大きい内径とされている。
【００３７】
ツメＢ４２は、図８に示すように化粧端子台４の左右の側面に設けられており、端子取付枠２に設けられたツメ受部Ｂ２６に係合することで、化粧端子台４を端子取付枠２に固定一体化する構造とされている。
【００３８】
以下に、本発明実施例１のアンテナ端子装置１００の組み付け方を図２（ａ）（ｂ）を参照して説明する。
まず、羽部１３を有する端子本体１の出力コネクタ１２を端子取付枠２に設けられた出力コネクタ挿通孔２１に挿通していき、次いで羽部１３を端子取付枠２に設けられた切欠部２２に挿通させた後、端子本体１を出力コネクタ軸上で回動させる。この回動の際に、羽部１３の裏面が突出リブ２３ｂの上面を摺動していき、ダイカストケース１４の前面に突出リブ２３ａの上面が当接する。その後、羽固定枠３の出力コネクタ挿通孔３１に出力コネクタ１２を挿通しつつ、端子取付枠２のツメ受部Ａ２５に羽固定枠３のツメＡ３３を係合させ、端子取付枠２の切欠部２２に羽固定枠３の回動角度制限突起Ｂ３２を嵌合させる。これにより、羽部１３を有する端子本体１が端子取付枠２に設けられた回動角度制限突起Ａ２４と回動角度制限突起Ｂ３２の間のみで回動するようになる。すなわち、端子本体１は羽部１３の側面が回動角度制限突起Ａ２４あるいは回動角度制限突起Ｂ３２の側面に当接するまで回動できるようになる。さらに、化粧端子台４の出力コネクタ保護壁４１に形成された挿通孔に出力コネクタ１２を挿通させていき、化粧端子台４のツメ部４２を端子取付枠２のツメ受部Ｂ２６に係合することにより、端子取付枠２に化粧端子台４が取り付けられるようになる。
【００３９】
実施例２
本発明に係る実施例２のアンテナ端子装置２００の構成を示す前面からの分解斜視図および後面からの分解斜視図を図９に示す。これらの図に示すように、本発明の実施例２に係るアンテナ端子装置２００は、入力コネクタ１１と出力コネクタ１２とを備える端子本体１と、該端子本体１が制限された角度内において回動可能に支持される端子取付枠５と、上記端子取付枠５から突出する出力コネクタ１２の周囲を覆うように上記端子取付枠５に取り付けられる化粧端子台４とから構成される。実施例２のアンテナ端子装置２００における端子本体１および化粧端子台４の構成は、実施例１のアンテナ端子装置１００における端子本体１および化粧端子台４の構成と同様なので、その説明は省略する。また、実施例２の構成を示す正面図、側面図、下面図、前面からの斜視図、背面からの斜視図は図１に示す各図と同様であり、実施例２の他の構成を示す正面図、背面図、下面図、前面からの斜視図、背面からの斜視図は図３に示す各図と同様であるので省略する。
上述した実施例１においては、回動角度制限突起Ｂ３２を有する羽固定枠３を端子取付枠２に取り付けることで羽部１３を有する端子本体１の回動角度を制限すると共に端子本体１の端子取付枠２からの脱落を防止する態様を示した。実施例２においては、回動角度制限突起Ｂ３２を有する羽固定枠３を省略しても同様の機能を奏することができるアンテナ端子装置２００とされている。
【００４０】
本発明の実施例２に係るアンテナ端子装置２００は、図９に示すように入力コネクタ１１と出力コネクタ１２とを備える端子本体１と、該端子本体１が制限された角度内において回動可能に支持される実施例１の端子取付枠２とは構成の異なる端子取付枠５と、この端子取付枠５から突出する出力コネクタ１２の周囲を覆うように上記端子取付枠５に取り付けられる化粧端子台４から構成される。
【００４１】
本発明の実施例２に係る端子取付枠５は図９及び図１０に示すように矩形状の底面板と、底面板の四辺に形成された側板からなり、前面が開口された箱状とされている。底面板には、円形の出力コネクタ挿通孔５１がほぼ中央に形成され、出力コネクタ挿通孔５１の外周縁に連接して対向するよう設けられる矩形の一対の切欠部５２と、この切欠部５２から所定角度（たとえば、約６０°）回転した位置であって出力コネクタ挿通孔５１の外周縁に連接して対向するよう一対の細長い溝とが形成されている。また、切欠部５２の一側に隣接する出力コネクタ挿通孔５１の外周縁の外側に沿って対向するよう表面から突出して扇形の一対の回動角度制限突起５４が形成されており、切欠部５２と上記細長い溝との間に出力コネクタ挿通孔５１の外周縁の外側に沿って対向するよう表面から突出して一対の弾性回動角度制限突起５５が形成されている。さらに、上記細長い溝と回動角度制限突起５４との間であって、出力コネクタ挿通孔５１の外周縁の外側に沿って対向するよう裏面から突出する一対の円弧状の突出リブ５３ａと、上記細長い溝と回動角度制限突起５４との間であって一対の突出リブ５３ａより外側に、出力コネクタ挿通孔５１の外周縁に沿うよう表面から突出して円弧状の一対の突出リブ５３ｂとが対向するよう形成されている。さらにまた、化粧端子台４と係合するための左右の側板から後方へコ字状に突出して形成されたツメ受部５６と、左右の側板から両側に突出して形成されている壁面取付部５７を有している。この端子取付枠５の材質としては絶縁性の素材であればよく、例えば合成樹脂などが用いられる。
【００４２】
出力コネクタ挿通孔５１は、図１０に示すように端子取付枠５の底面板の略中央部に設けられる端子本体１の出力コネクタ１２を挿通させるための挿通孔であり、出力コネクタ挿入孔５１に連接して切欠部５２が設けられている。出力コネクタ挿通孔５１の内径は、出力コネクタ１２の外径より若干大きく形成されている。
【００４３】
切欠部５２は、出力コネクタ挿通孔５１に連接して設けられ、出力コネクタ１２に設けられた羽部１３を端子取付枠５に挿通させるための構造である。切欠部５２の形状は羽部１３を挿通させることができる形状であればどのような形状であってもよく、好ましくは羽部１３を容易に挿通できる矩形の形状である。また、切欠部５２の数も羽部１３の数に合わせて選択され、羽部１３の数は１つ以上であればよく、２つ以上設けられることが好ましい。そして、切欠部５２と細長い溝との間に後述する弾性回動角度制限突起５５が設けられる。ここで、端子本体１の出力コネクタ１２を出力コネクタ挿通孔５１に挿通していき、羽部１３を矩形の一対の切欠部５２に挿通して、端子本体１を回転させると羽部１３の側面が弾性回動角度制限突起５５の斜面に当接して、端子本体１の回転に伴い弾性回動角度制限突起５５が押し下げられることにより、羽部１３が弾性回動角度制限突起５５を乗り越えるようになる。弾性回動角度制限突起５５の両側は切欠部５２と細長い溝とされているので、弾性回動角度制限突起５５は弾性的に変形するようになる。
【００４４】
該出力コネクタ挿通孔５１の周縁であって底面板の裏面には突出リブ５３ａが設けられ、底面板の表面には突出リブ５３ｂが設けられている。端子取付枠５に回動可能に挿通固定された端子本体１を回動する際に、突出リブ５３ａの突出面が端子本体１の前面に圧接され、突出リブ５３ｂの突出面が前記羽部１３の後面に圧接されることで端子取付枠５に取り付け後の端子本体１を出力コネクタ１２の軸上で回動する際に摩擦抵抗が生じながら回動するようになる。この際に、突出リブ５３ａ，５３ｂが端子取付枠５の底面板の表面及び裏面に設置位置をずらして重ならないように設けられているため、端子本体１の前面に当接した突出リブ５３ａに対して突出リブ５３ｂは突出リブ５３ａの高さ分だけ浮いた状態となり、突出リブ５３ｂ上に羽部１３が当接した際に端子取付枠５の底面板がたわみ、適度な摩擦抵抗を羽部１３と突出リブ５３ｂとの間に生じさせることができると共に組み立て時にかかる力を低減できる。そのため、本発明のアンテナ端子装置はＯ−リングを用いることなく回動する際に適度な摩擦抵抗を得ることができる。ここで突出リブ５３ｂと羽部１３を摺動させる構造であれば突出リブ５３の構造は特段制限されるものではなく、例えば出力コネクタ挿通孔５１の根元の周縁に円弧状、直線状、半球状などの形状の凸部からなる突出リブ５３としても良い。また、突出リブ５３ａ，５３ｂは図１０に示すように端子取付枠５の底面板の表面及び裏面に設けているが、さらに端子取付枠５の表面及び裏面に突出リブ５３ａ、５３ｂのそれぞれを二重、三重に重ならないように設けるようにしてもよい。
【００４５】
弾性回動角度制限突起５５は、図１０乃至図１２に示す通り端子取付枠５の後面かつ切欠部５２と細長い溝との間に設けられ、先端（切欠部５２側）にいくほど厚みが薄くなり、後端が急斜面の段差部とされたくさび状の突起構造とされている。この弾性回動角度制限突起５５の終端（細長い溝側）は急斜面の段差部とされていることから、羽部１３が弾性回動角度制限突起５５を逆側から乗り越えて切欠部５２への戻りが防止され、回動角度を制限すると共に端子本体１の端子取付枠５からの脱落が防止される。ここで、切欠部５２に羽部１３を挿通したのち端子本体１を出力コネクタ軸上で回動させると、該弾性回動角度制限突起５５の斜面に羽部１３が当接して回動に伴い押し下げられ、羽部１３が弾性回動角度制限突起５５終端の急斜面の段差部を通過すると弾性回動角度制限突起５５は元位置に復帰する（図１２参照）。羽部１３が弾性回動角度制限突起５５終端の急斜面の段差部を通過した後は、端子取付枠５を逆回転させた際に急斜面の段差部に羽部１３が当接することで端子本体１の出力コネクタ１２軸上での回動を制限すると共に、羽部１３が切欠部５２方向に戻り端子本体が脱落することを防止する機能を奏する。これにより、端子本体１は、回動角度制限突起５４と弾性回動角度制限突起５５との間だけで回動できるようになる。弾性回動角度制限突起５５の形状は、羽部１３が該突起を乗り越えた後の回動角度を制限し、端子本体１の戻りを防止してその脱落を防止できる構造であればよく、前記の構造に限定されるものではないが、羽部１３の摺動面に合わせた曲面とすると羽部１３が乗り越えやすくなるため好ましい。
【００４６】
化粧端子台４と係合するためのツメ受部５６は、後述する化粧端子台４に設けられたツメＢ４２と端子固定枠５を係合させるための構造である。化粧端子台４の両側には、先端に爪部が形成された一対のツメＢ４２がそれぞれ形成されている。ツメＢ４２の先端には、外面に形成された一段高くなる段差部と、この段差部から先端に行くほど尖る斜面とされたテーパ部とにより爪部が形成されている。ツメ受部Ｂ２６はコ字状の形状とされ、内部の矩形状の縦長の係合孔に、ツメＢ４２の爪部の段差部が係合される。ツメ受部５６及びツメＢ４２の構造としては、端子取付枠５と化粧端子台４を一体に係止可能な構造であればよい。
【００４７】
壁面取付部５７は、図１０に示すように端子固定枠の左右の側板から両側に突出して形成される構造であり、壁面に設けられた埋め込み型スイッチボックスが備えるアンテナ端子装置２００を固定する取付枠に、壁面取付部５７の先端の突起を係合させることでアンテナ端子装置２００を埋め込み型スイッチボックスに設置する構造である。
【００４８】
以下に、本発明実施例２のアンテナ端子装置２００の組み付け方を図９（ａ）（ｂ）、及び図１１、図１２を参照して説明する。
まず、羽部１３を有する端子本体１の出力コネクタ１２を端子取付枠５に設けられた出力コネクタ挿通孔５１に挿通していき、次いで羽部１３を端子取付枠５に設けられた切欠部５２に挿通させた後、端子本体１を出力コネクタ軸上で回動させる。回動していくと、羽部１３が弾性回動角度制限突起５５を乗り越えて、羽部１３の裏面が突出リブ５３ｂの上面を摺動していき、ダイカストケース１４の前面に突出リブ５３ａの上面が当接する。なお、羽部１３の出力コネクタ軸上での回動により、端子取付枠５に設けられた弾性回動角度制限突起５５は端子本体１のダイカストケース１４側に押し下げられ、羽部１３が弾性回動角度制限突起５５の終端の急斜面の段差部を通過すると弾性回動角度制限突起５５は端子本体１接続前の元位置に復帰する（図１２参照）。これにより、羽部１３を有する端子本体１が端子取付枠５に設けられた回動角度制限突起５４と弾性回動角度制限突起５５の間のみで回動可能するようになる。さらに、化粧端子台４の出力コネクタ保護壁４１に形成された挿通孔に出力コネクタ１２を挿通させていき、化粧端子台４のツメ部４２を端子取付枠５のツメ受部５６に係合することにより、端子取付枠５に化粧端子台４が取り付けられるようになる。
【００４９】
実施例３
本発明に係る実施例３の構成を示す正面図、側面図、下面図を図１３に示す。これらの図に示すように本発明の実施例３に係るアンテナ端子装置３００は、入力コネクタ１１と出力コネクタ１２とを備える端子本体１と、出力コネクタ１２の周囲を覆う出力コネクタ保護壁６７を有し、該端子本体１を制限された角度内において回動可能に支持する端子取付枠６とから構成される。実施例３のアンテナ端子装置３００は、実施例２の化粧端子台４の機能を端子取付枠６に備えさせることにより、端子本体１と端子取付枠６との２つの部品だけで構成できるようにされている。実施例３のアンテナ端子装置３００における端子本体１の構成は、実施例１のアンテナ端子装置１００における端子本体１の構成と同様なので、その説明は省略する。
【００５０】
本発明の実施例３に係るアンテナ端子装置３００は、図１３に示すように入力コネクタ１１と出力コネクタ１２とを備える端子本体１と、出力コネクタ１２の周囲を覆う出力コネクタ保護壁６７を有し該端子本体１を制限された角度内において回動可能に支持する端子取付枠６とから構成される。
【００５１】
本発明の実施例３に係る端子取付枠６は図１４に示すように矩形状の化粧板と、化粧板の四辺に形成された側板からなる箱状の取付枠であり、外面側に表出する化粧板の略中央部に化粧板に連通する円筒状の出力コネクタ保護壁６７が形成され、該出力コネクタ保護壁６７の下端には円形の出力コネクタ挿通孔６１をその略中央部に有する底面板が設けられている。出力コネクタ挿通孔６１の外周縁に連接して対向するよう設けられる矩形の一対の切欠部６２と、この切欠部６２から所定角度（たとえば、約６０°）回転した位置であって出力コネクタ挿通孔６１の外周縁に連接して対向するよう一対の細長い溝とが形成されている。また、切欠部６２の一側に隣接する出力コネクタ挿通孔６１の外周縁の外側に沿って対向するよう化粧板側に突出して扇形の一対の回動角度制限突起６４が形成されており、切欠部６２と上記細長い溝との間に出力コネクタ挿通孔６１の外周縁の外側に沿って対向するよう化粧板側に突出して一対の弾性回動角度制限突起６５が形成されている。さらに、上記細長い溝と回動角度制限突起６４との間であって、出力コネクタ挿通孔６１の外周縁の外側に沿って対向するよう裏面から突出して円弧状の一対の突出リブ６３ａと、上記細長い溝と回動角度制限突起６４との間であって一対の突出リブ６３ａより外側に、出力コネクタ挿通孔６１の外周縁に沿うよう表面から化粧板側に突出して円弧状の一対の突出リブ６３ｂとが対向するよう形成されている。さらにまた、左右の側板から両側に突出して形成されている壁面取付部６６を有している。この端子取付枠６の材質としては絶縁性の素材であればよく、例えば合成樹脂などが用いられる。
【００５２】
出力コネクタ挿通孔６１は、図１４に示すように端子取付枠６の底面板の略中央部に設けられる端子本体１の出力コネクタ１２を挿通させるための挿通孔であり、出力コネクタ挿入孔６１に連接して切欠部６２が設けられている。出力コネクタ挿通孔６１の内径は、出力コネクタ１２及び羽部１３が挿通可能なような大きさで形成されている。
【００５３】
切欠部６２は、出力コネクタ挿通孔６１に連接して設けられ、出力コネクタ１２に設けられた羽部１３を端子取付枠６に挿通させるための構造である。切欠部６２の形状は羽部１３を挿通させることができる形状であればどのような形状であってもよく、好ましくは羽部１３を容易に挿通できる矩形の形状である。また、切欠部６２の数も羽部１３の数に合わせて選択され、羽部１３の数は１つ以上であればよく、２つ以上設けられることが好ましい。そして、切欠部６２と細長い溝との間に後述する弾性回動角度制限突起６５が設けられる。ここで、端子本体１の出力コネクタ１２を出力コネクタ挿通孔６１に挿通していき、羽部１３を矩形の一対の切欠部６２に挿通して、端子本体１を回転させると羽部１３の側面が弾性回動角度制限突起６５の斜面に当接して、端子本体１の回転に伴い弾性回動角度制限突起６５が押し下げられることにより、羽部１３が弾性回動角度制限突起６５を乗り越えるようになる。弾性回動角度制限突起６５の両側は切欠部６２と細長い溝とされているので、弾性回動角度制限突起６５は弾性的に変形するようになる。
【００５４】
該出力コネクタ挿通孔６１の周縁であって底面板の裏面には突出リブ６３ａが設けられ、表面には突出リブ６３ｂが設けられている。端子取付枠６に回動可能に挿通固定された端子本体１を回動する際に、突出リブ６３ａの突出面が端子本体１の前面に圧接され、突出リブ６３ｂの突出面が前記羽部１３の後面に圧接されることで端子取付枠６に取り付け後の端子本体１を出力コネクタ１２の軸上で回動する際に摩擦抵抗が生じながら回動するようになる。この際に、突出リブ６３ａ，６３ｂが端子取付枠６の底面板の表面及び裏面に設置位置をずらして重ならないように設けられているため、端子本体１の前面に当接した突出リブ６３ａに対して突出リブ６３ｂは突出リブ６３ａの高さ分だけ浮いた状態となり、突出リブ６３ｂ上に羽部１３が当接した際に端子取付枠６の底面板がたわみ、適度な摩擦抵抗を羽部１３と突出リブ６３ｂとの間に生じさせることができると共に組み立て時にかかる力を低減できる。そのため、本発明のアンテナ端子装置はＯ−リングを用いることなく回動する際に適度な摩擦抵抗を得ることができる。ここで突出リブ６３ｂと羽部１３を摺動させる構造であれば突出リブ６３の構造は特段制限されるものではなく、例えば出力コネクタ挿通孔６１の根元の周縁に円弧状、直線状、半球状などの形状の凸部からなる突出リブ６３としても良い。また、突出リブ６３ａ，６３ｂは図１４に示すように端子取付枠６の底面板の表面及び裏面に設けているが、さらに端子取付枠６の表面及び裏面に突出リブ６３ａ、６３ｂのそれぞれを二重、三重に重ならないように設けるようにしてもよい。
【００５５】
弾性回動角度制限突起６５は、図１４に示す通り、端子取付枠６の底面板の表面かつ切欠部６２と細長い溝との間に設けられ、先端（切欠部６２側）にいくほど厚みが薄くなり、後端が急斜面の段差部とされたくさび状の突起構造とされている。この弾性回動角度制限突起６５の終端（細長い溝側）は急斜面の段差部とされていることから、羽部１３が弾性回動角度制限突起６５を逆側から乗り越えて切欠部６２への戻りが防止され、回動角度を制限すると共に端子本体１の端子取付枠６からの脱落が防止される。ここで、切欠部６２に羽部１３を挿通したのち端子本体１を出力コネクタ１２軸上で回動させると、該弾性回動角度制限突起６５の斜面に羽部１３が当接して回動に伴い押し下げられ、羽部１３が弾性回動角度制限突起６５終端の急斜面の段差部を通過すると弾性回動角度制限突起６５は元位置に復帰する（図１６参照）。羽部１３が弾性回動角度制限突起６５終端の急斜面の段差部を通過した後は、端子取付枠６を逆回転させた際に急斜面の段差部に羽部１３が当接することで端子本体１の出力コネクタ１２軸上での回動を制限すると共に、羽部１３が切欠部６２方向に戻り端子本体が脱落することを防止する機能を奏する。これにより、端子本体１は、回動角度制限突起６４と弾性回動角度制限突起６５との間だけで回動できるようになる。弾性回動角度制限突起６５の形状は、羽部１３が該突起を乗り越えた後の回動角度を制限し、端子本体１の戻りを防止してその脱落を防止できる構造であればよく、前記の構造に限定されるものではないが、羽部１３の摺動面に合わせた曲面とすると羽部１３が乗り越えやすくなるため好ましい。
【００５６】
壁面取付部６６は、図１４に示すように端子固定枠の左右の側板から両側に突出して形成される構造であり、壁面に設けられた埋め込み型スイッチボックスが備えるアンテナ端子装置３００を固定する取付枠に、壁面取付部６６の先端の突起を係合させることでアンテナ端子装置３００を埋め込み型スイッチボックスに設置する構造である。
【００５７】
出力コネクタ保護壁６７は、図１４（ｃ）及び（ｅ）に示すように端子取付枠６の化粧板の略中央部に位置し化粧板に連通する円筒状の保護壁であり、該出力コネクタ保護壁６７の下端には出力コネクタ１２を挿通させるための円形の出力コネクタ挿通孔６１をその略中央部に有する底面板が設けられている。出力コネクタ保護壁６７は、端子取付枠６に端子本体１を取り付けた際に出力コネクタ１２を保護する構造である。出力コネクタ保護壁６７の内径は、出力コネクタ１２に同軸プラグを装着した時の外径より一回り大きい内径であればよく、その形状は円筒状、四角柱などの構造であってもよいが、円筒状が好ましい。また、出力コネクタ保護壁６７の高さは、出力コネクタ１２の長さと略同一であることが好ましく、その内径は、出力コネクタ１２の外径と２枚の羽部１３の高さを足し合わせた長さより若干大きく形成されることが好ましい。
【００５８】
以下に、本発明実施例３のアンテナ端子装置３００の組み付け方を図１５、図１６を参照して説明する。
まず、羽部１３を有する端子本体１の出力コネクタ１２を端子取付枠６に設けられた出力コネクタ挿通孔６１に挿通していき、次いで羽部１３を端子取付枠６に設けられた切欠部６２に挿通させた後、端子本体１を出力コネクタ軸上で回動させる。回動していくと、羽部１３が弾性回動角度制限突起６５を乗り越えて、羽部１３の裏面が突出リブ６３ｂの上面を摺動していき、ダイカストケース１４の前面に突出リブ６３ａの上面が当接する。なお、羽部１３の出力コネクタ軸上での回動により、端子取付枠６に設けられた弾性回動角度制限突起６５は端子本体１のダイカストケース１４側に押し下げられ、羽部１３が弾性回動角度制限突起６５の終端の急斜面の段差部を通過すると弾性回動角度制限突起６５は端子本体１接続前の元位置に復帰する（図１６参照）。これにより、羽部１３を有する端子本体１が端子取付枠６に設けられた回動角度制限突起６４と弾性回動角度制限突起６５の間のみで回動可能するようになる。また、取付後の出力コネクタ１２は出力コネクタ保護壁６７により保護されるため、その他の出力コネクタ１２を保護する部品を必要とせず安全に壁面に取り付けることが可能となる。
【産業上の利用可能性】
【００５９】
本発明のアンテナ端子装置は、端子本体を回動可能としてもアンテナ端子装置をＯ−リングなどの弾性部材を用いることなく配設可能であり、また端子本体を回動可能することができる。
本発明のアンテナ端子装置においては、端子本体を金属製としたが、これに限ることなく導電性の合成樹脂製としたり、モールドした合成樹脂の表面に金属を蒸着して作成しても良い。また、端子本体に入力端子に対向して分岐端子を設けて、入力端子から入力された信号を分岐して出力端子と分岐端子に出力し、分岐端子からの信号を次のアンテナ端子装置に供給しても良い。
【符号の説明】
【００６０】
１００，２００，３００：アンテナ端子装置、１：端子本体、１１：入力コネクタ、１２：出力コネクタ、１３：羽部、１４：ダイカストケース、２：端子取付枠、２１：出力コネクタ挿通孔、２２：切欠部、２３ａ、２３ｂ：突出リブ、２４：回動角度制限突起Ａ、２５：ツメ受部Ａ、２６：ツメ受部Ｂ、２７：壁面取付部、３：羽固定枠、３１：出力コネクタ挿通孔、３２：回動角度制限突起Ｂ、３３：ツメＡ、４：化粧端子台、４１：出力コネクタ保護壁、４２：ツメＢ、５１：出力コネクタ挿通孔、５２：切欠部、５３ａ、５３ｂ：突出リブ、５４：回動角度制限突起、５５：弾性回動角度制限突起、５６：ツメ受部、５７：壁面取付部、６：端子取付枠、６１：出力コネクタ挿通孔、６２：切欠部、６３ａ、６３ｂ：突出リブ、６４：回動角度制限突起、６５：弾性回動角度制限突起、６６：壁面取付部、６７：出力コネクタ保護壁
【図１】
0006338481.tif 000002
【図２】
0006338481.tif 000003
【図３】
0006338481.tif 000004
【図４】
0006338481.tif 000005
【図５】
0006338481.tif 000006
【図６】
0006338481.tif 000007
【図７】
0006338481.tif 000008
【図８】
0006338481.tif 000009
【図９】
0006338481.tif 000010
【図１０】
0006338481.tif 000011
【図１１】
0006338481.tif 000012
【図１２】
0006338481.tif 000013
【図１３】
0006338481.tif 000014
【図１４】
0006338481.tif 000015
【図１５】
0006338481.tif 000016
【図１６】
0006338481.tif 000017